(57)【要約】【課題】コンピュータから表示データを抽出し、画像ファイルに変換して記憶装置に保存するデータ転送システムを提供する。【解決手段】コンピュータからのフレーム先頭にヘッダコードを有する表示データを抽出し、画像ファイルに変換して記憶装置に保存する表示装置と、該表示装置に設けられた画面キャプチャ専用のフレームメモリとを備え、毎フレームごとに表示データの書き込みを行わせ、ヘッダコードを検出した次のフレームより表示データの書き込みを禁止し、フレームメモリの表示データを読み出して、画像ファイルとして記憶装置に保存させる。【選択図】図１
2006201798.tif 000002
【特許請求の範囲】
【請求項１】
コンピュータからのフレーム先頭にヘッダコードを有する表示データを抽出し、画像ファイルに変換して記憶装置に保存する表示装置と、  
該表示装置に設けられた画面キャプチャ専用のフレームメモリとを備え、
毎フレームごとに前記表示データの書き込みを行わせ、前記ヘッダコードを検出した次のフレームより前記表示データの書き込みを禁止し、前記フレームメモリの表示データを読み出して、画像ファイルとして前記記憶装置に保存させることを特徴とするデータ転送システム。
【請求項２】
コンピュータから通信インタフェースを通して伝送されるヘッダコードを受信し、該コンピュータからの表示データを画像ファイルに変換して記憶装置に保存する表示装置と、
該表示装置に設けられた画面キャプチャ専用のフレームメモリとを備え、
毎フレームごとに前記表示データの書き込みを行わせ、前記ヘッダコードを検出した次のフレームより前記表示データの書き込みを禁止し、前記フレームメモリの表示データを読み出して、画像ファイルとして前記記憶装置に保存させることを特徴とするデータ転送システム。
【請求項３】
コンピュータから出力される表示データを抽出し、該表示データを画像ファイルに変換して記憶装置に保存する表示装置と、
該表示装置に設けられて、前記表示データを保存するための操作ボタンとを備え、
毎フレームごとに前記表示データの書き込みを行わせ、前記操作ボタンの操作を検出した次のフレームより前記表示データの書き込みを禁止し、フレームメモリの表示データを読み出して、画像ファイルとして前記記憶装置に保存させることを特徴とするデータ転送システム。
【発明の詳細な説明】
【技術分野】
【０００１】
本発明は、コンピュータから転送された画像デ−タ（ビットマップファイルやｊｐｅｇファイル）あるいはワ−プロやプレゼンテーションソフトによりユーザが生成したファイルを表示装置内の記憶装置に保存しておき、その表示装置が単独で情報データを読み出して表示画面に表示するデータ転送システムに関する。
【背景技術】
【０００２】
従来から、コンピュータ（以下、ＰＣという）で作成した情報データを表示装置に転送して、この表示装置が装備する記憶装置に保存し、さらに、この表示装置が単独で、記憶装置に保存した前記情報データを読み出し、表示画面に表示可能にするデータ転送システムが提案されている。
【０００３】
図１８（ａ）、（ｂ）は従来のデータ転送システムの利用シーンを示す説明図である。図１８（ａ）では、ＰＣ２に表示モニタとしての、表示装置１が接続され、ＰＣ２上で会議のプレゼンテーション用の資料を作成し、その作成したファイル（以下、情報デ−タという）を、ＵＳＢを経由して、表示装置１のメモリカード１１に転送して、保存する。
また、ＵＳＢを使用しない別の方法として、メモリカード１１を表示装置１から外して、ＰＣ２に装着し、ＰＣ２からメモリカード１１に情報データを書き込み、メモリカード１１をＰＣ２から外し、表示装置１に装着することでも、情報データをメモリカードへ保存することができる。
メモリカード１１に情報データを保存した後は、表示装置が、単独でメモリカード内の情報デ−タを呼び出して、表示する機能により、図１８（ｂ）に示すように、会議室にＰＣ２を常設あるいは運び込む手間無しに、表示装置１だけで、プレゼンテーションが可能である。
なお、図１８（ａ）、（ｂ）に示すような表示装置の用途を、用途１と略称する。
【０００４】
また、これまで説明した表示装置１の機能を利用した他の用途として、コンピュータＰＣ２からの表示信号を表示装置１で表示した画面上の表示内容を、ビットマップファイルやJPEGファイル等の画像ファイルとして、前記表示装置１が有する記憶装置に保存する画面キャプチャ機能としての用途も考えられる。図１９はこの表示装置の利用シーンを示す説明図である。なお、このような用途を、用途２と略称する。
この図１９において、ＰＣ２を使用している際、表示装置１の画面上に保存したい情報がある場合、操作者はマウスで画面上のキャプチャボタン４１をクリックすると、ＰＣ２は表示データを、画像ファイル化して、汎用インタフェース（ＵＳＢ）経由で、表示装置１側に転送し、表示装置１側でその表示データを検出し、表示装置１の外部記憶装置としての、例えばメモリカード１１に保存する。
以後、ＰＣ２を起動しなくても、迅速に表示装置１だけで画像ファイルを表示することにより表示データを見ることができる。従って、会議室等、別の場所で表示装置１単体でプレゼンテーションが可能になる。
【０００５】
次に、ＰＣ２で生成した情報データを表示装置１へ転送して保存し、その内容を表示するまでの従来の方法について説明する。なお、この方法を従来例１と表現する。図２０は従来例１を示すブロック図で、ＰＣ２はメモリカードインタフェース１４または汎用の通信インタフェースとしての例えばＵＳＢ１３を有し、表示装置１は、記憶装置としての例えばメモリカードカード１１および汎用通信インタフェースとしての例えばＵＳＢ１２を有し、ＰＣ２で生成した情報データを、表示装置１へＵＳＢ１３、１２をそれぞれ経由して転送し、メモリカード１１に保存することができる。なお、情報デ−タとは、ＰＣで作成したワープロやプレゼンテーションツールで作成したユーザ作成ファイルを構成するデータを指す。
【０００６】
表示装置１の内部にはＣＰＵ１０が設けられており、このＣＰＵ１０は、メモリカード１１に保存した情報デ−タを読み出し、表示のためのビットマップデータの形に変換し、グラフィクコントローラ８を経由してフレームメモリ２３に書き込む。さらに、グラフィックコントローラ８はフレームメモリ２３から、表示デ−タをＬＣＤパネル６の表示タイミングに合うフレーム周期で毎フレーム読み出し、情報データ表示信号７として、表示信号スイッチ４に入力する。
【０００７】
表示信号スイッチ４は、２入力１出力のスイッチで、入力には、ＰＣ２の表示信号出力１９からのＰＣ表示信号３と前記のグラフィックコントローラ８からの情報データ表示信号７とが入力される。
表示信号スイッチ４の入力の選択は、ユーザが選択できる手段が提供されており（図２０では省略）、例えば、キー操作などによって、ユーザが選択可能である。
表示信号スイッチ４は、選択されている方の表示信号を、ＬＣＤパネル表示信号作成手段５を経由してＬＣＤパネル６へ出力する。なお、このＬＣＤパネル表示信号作成手段５およびＬＣＤパネル６は従来からある通常のＰＣ用のモニタ装置と同じ構成であるため、その動作説明は省略する。また、ＬＣＤパネル６はＣＲＴやその他の表示デバイスに置き換えて用いることも可能である。
【０００８】
このように表示信号選択スイッチ４は、表示装置１をＰＣ用のモニタとして、あるいはメモリカードの情報データ（プレゼンテーション用のユーザ作成ファイルや画像ファイル等）を表示するモニタとして使用するように切り替えられる。
なお、ＰＣ２から表示装置１への情報データの転送と保存は、ＵＳＢ１２、１３を使用するとしたが、表示装置１のメモリカード１１を抜き、ＰＣ２のメモリカードインタフェース１４に装着し、ＰＣ２からメモリカード１１に情報データを保存し、メモリカードをＰＣ２から外し、表示装置１に装着することでも実施可能である。
【０００９】
また、情報データの転送に、汎用の通信インタフェースや記憶媒体を使用するのではなく、ＰＣの表示信号出力部を経由して、情報データを表示装置１へ転送する方法が考えられる。これを図２１および図２２を用いて説明する。なお、この方法を従来例２とする。
図２２は、図２１におけるＰＣ２の詳細を示し、情報データを転送する際、ＣＰＵ６０はＰＣ２内部のフレームメモリ６２に対し、図２３に示すように、先頭に情報データを識別するためのヘッダコード、次に表示装置１へ転送する情報データを書き込み、グラフイックスコントローラ６１は、フレームメモリ６２のアドレスマップに対し、ＴＶの走査線と同じ方向でフレームメモリ６２を読み出して、表示信号出力部１９へ、図２３に示すように、垂直同期信号の出力タイミングすなわち表示信号と同じ物理タイミングで、ヘッダコードと情報データを出力する。
【００１０】
表示装置１は、情報データが転送される前はＰＣ２から表示信号を受信する。
ＰＣ２内のフレームメモリ書き込み／読み出し制御手段２０は、フレームメモリ２３に対し、前記の表示信号の書き込みと、ＬＣＤパネル表示信号作成手段５を経由してＬＣＤパネル側６へ出力するための表示データの読み出しとを、時分割で行うような制御を行い、ＬＣＤパネル６にはＰＣ２からの表示データが表示される。
【００１１】
次に、表示装置１が前記のヘッダコードを受信したときの動作を、図２４を用いて説明する。図２４のフレームＮでヘッダコードを受信し、表示装置１内のヘッダコード検出手段２１がこれを検出し、フレームメモリ書き込み／読み出し制御手段２０へ通知し、フレームメモリ書き込み／読み出し制御手段２０は、フレームＮ＋１の先頭で、フレームメモリ２３への書き込みを禁止することにより、以降のフレームでフレームメモリ２３内に書き込まれた情報データが別の表示データに上書きされないように働き、ＣＰＵ１０は、フレームメモリ２３から情報データを読み出し、記憶装置２５へ書き込む処理を開始し、フレームＮ＋ｍで完了し、次のフレームＮ＋ｍ＋１より、フレームメモリ２３は再び、最初の表示データの書き込みと読み出し動作に復帰する。
なお、記憶装置２５内で情報データを表示する動作は、従来例１と同じ方法としたり、または、ＣＰＵ１０が、フレームメモリ２３の表示データの書き込みを禁止し、記憶装置２５より情報データを読み込み、フレームメモリ２３に直接、書き込みことで行われる。
なお、先行技術として、パソコン上の任意のプレゼンテーション用アプリケーションで作成したデータをキャプチャし、汎用の画像ファイルに変換し、それをメモリカードに格納することができる画像表示システムが知られている（例えば、特許文献１参照）。
【特許文献１】特開平０９−３２５４１３号公報
【発明の開示】
【発明が解決しようとする課題】
【００１２】
しかしながら、前記従来例１の表示装置にあっては、情報データをＰＣ２から表示装置２ メモリカード１１等の記憶装置に転送するため、ＵＳＢまたはＲＳ２３２Ｃ等の汎用通信インタフェースを使用したり、メモリカード１１等の記憶媒体を利用したりするため、メモリカード１１を、その都度、ＰＣおよび表示装置側で、抜き差しする手間を要するという不便があった。また、ＰＣ２側にも、表示装置１が有するのと同じインタフェースが無い場合は、情報データを転送できないという課題があった。さらに、ＰＣ側に装備されている汎用通信インタフェースとしてＲＳ２３２Ｃがあるが、通信速度が遅く、容量が大きい場合に、伝送時間が長くかかるという課題があった。
【００１３】
また、用途２での画面キャプチャ機能を持った表示装置１にあっては、画面の表示が変わる度に画面キャプチャするなど、連続かつ短間隔で画面キャプチャする利用シーンが考えられ、この場合には高速応答を求められ、一方、画面キャプチャによるデータ容量は、１画面分の表示データに相当するが、数メガバイト（１０２４×７６８ドット、２４ビットカラーの場合）の容量であり、これを転送する汎用インタフェースとして、代表的な汎用インタフェースの一つであるＵＳＢ（伝送レート１０Ｍｂｐｓ）を用いたとしても、転送時間に数秒を要し、高速応答を実現できないという課題があった。
【００１４】
一方、従来例２の表示装置１にあっては、次のような課題がある。なお、以降の説明では、表示デ−タは、表示装置１の表示画面に表示させるためのデータを意味し、一方、情報データは、表示装置１の記憶装置２５へ保存するデータを意味する。これらは、両方ともＰＣ２からの表示信号出力部１９を経由してフレームメモリ２３に書き込まれる等、同じ生成手段と経路であるが、表示装置内での処理が異なるため、説明の便宜上、名称を使い分ける。
【００１５】
前記従来例２の表示装置１によれば従来例１での課題は解決されるが、用途１では、情報データを転送している最中に、図２４のフレームＮでは、ＰＣ２から表示データが来ないため、また、フレームＮ＋１からＮ＋ｍの間は、フレームメモリ２３内の情報データを保持する必要があるために、フレームメモリ２３への表示データの書き込みは禁止しており、従って、フレームＮからＮ＋ｍまでの間は、フレームメモリ２３内の情報データが、ＬＣＤパネル側への表示データとして読み出されて、表示画面に表示され、その際、前記情報データは、表示データではないため（ワープロやプレゼンテーションツールで作成したユーザ作成ファイルを構成するデータ）、画面に意味のない表示が表示されるという課題があった。
【００１６】
一方、この課題を解決するために、情報データを転送する図２４のフレームＮからフレームＮ＋ｍの間、表示画面の表示を禁止するという手段も採ることができるが、その場合、その間、画面が消えるなどの課題があった。
【００１７】
前記従来例２の用途１においては、図２４のフレームＮに示すように、１組のヘッダコードと情報データが必ず、１フレーム期間内に欠落なしに準備されている必要があるが、そのためには、ＰＣ２側ではヘッダコードと１フレームで転送する情報データを、１フレーム以内に最初から最後まで書き込む必要があるが、これを実現するには高速に、それらをフレームメモリ２３に書き込む特殊なハード構成が必要となるという課題があった。また、１フレームを超えるような容量の情報データは、転送できないという課題があった。
【００１８】
さらに、従来例２の用途２においては、図２４の、フレームＮで示す情報データは、表示デ−タと等しく、従って、フレームＮからＮ＋ｍまでの間で、情報データが表示されてもヘッダコードが表示されるが、小容量のため、目だたず、問題にはならない。しかしながら、フレームＮからＮ＋ｍの間は、表示画面は更新されないため、表示画面は凍結し、この間に行うＣＰＵのフレームメモリ２３からの読み出しと記憶装置２５への書き込みの処理が高速で、人が体感できないような短い時間で完了する場合は気が付かないが、例えば、秒単位等、人が体感できる程の長い時間がかかるような処理能力の場合は、画面の凍結が長引き、高速に処理可能な特殊なハードを必要とするという課題があった。
【００１９】
一方、これに対して、フレームＮからＮ＋ｍの間に、表示信号の書き込みを許可すれば、表示画面は更新され、画面が凍結する問題はなくなるが、フレームＮ〜Ｎ＋ｍの間で、画面に動きがある場合、フレームメモリ２３のデータ内容が変わり、その間も、ＣＰＵ１０は記憶装置２５への書き込み作業を継続しているため、キャプチャした保存画像がブレる等の課題があった。
【００２０】
本発明は前記のような課題を解消するためになされたものであり、汎用インタフェースや記憶媒体を使用せずに、表示信号出力部を経由して、記憶装置に保存するための情報データを、表示装置へ転送することができるデータ転送システムを得ることを目的とする。
【００２１】
また、本発明は転送手段の転送スピードの能力不足による長い時間待ちを改善でき、画面に情報データは表示されないようにし、さらに転送の間に画面が消えるのを防止できるデータ転送システムを得ることを目的とする。
【００２２】
さらに、本発明はＰＣ２処理が間に合わず１フレーム内の情報データが準備途中のために欠落があっても、正常な情報データの転送を実現することができるとともに、情報データの容量に制限のないようにすることができるデータ転送システムを得ることを目的とする。
【００２３】
また、表示画面が凍結することなく、かつ、保存したキャプチャ画像データにブレがなく、キャプチャした画像データを記憶装置へ保存することができるとともに、ＰＣ側の専用ソフトの処理を軽くしたり、あるいは全く必要としないデータ転送システムを得ることを目的とする。
【課題を解決するための手段】
【００２４】
前記目的達成のために、本発明にかかるデータ転送システムは、情報データを１フレームの期間内で転送可能な容量に分割して１パケットとし、１フレーム当り１パケットで表示装置へ転送するコンピュータと、該コンピュータが転送した情報データのヘッダコードを表示装置側で検出するヘッダコード検出手段と、前記ヘッダコードを持つ情報データの書き込みおよび読み出しが行われるフレームメモリとを備え、前記情報データの転送中は、該情報データの画面上における表示を禁止し、前記転送直前のフレームの表示データを前記フレームメモリに記憶させ、その表示データを前記情報データの転送が終了するまで画面上に表示させるようにしたものである。これにより、汎用インタフェースや外部記録媒体などを使用せずに、また、情報データの転送中に情報データが表示されることなく、記録装置に保存するための情報データを表示装置に転送できる。
【００２５】
また、本発明にかかるデータ転送システムは、前記コンピュータからの情報データの転送中は、１パケット分の情報データを転送する各フレーム間に表示データを出力するフレームを入れ、前記表示装置において、１フレーム内のパケット分の情報データの保存と次のフレームの表示データを表示器の画面上に表示する動作を交互に行うようにしたものである。これにより、情報データの転送が完了するまでの間に、表示が凍結するのを防止できる。
【００２６】
また、本発明にかかるデータ転送システム（用途１）は、前記情報データのヘッダコードが、１フレームの情報データが準備できたことを示すパケット書き込み完了フラグを有し、表示装置ではそのパケットデータ書き込み完了フラグを検出した後に、前記情報データを読み出して保存するようにしたものである。これにより、１パケットの情報データが揃ったことを検出することにより、未だ準備途中の欠落した情報データの保存を回避できる。
【００２７】
また、本発明にかかるデータ転送システム（用途１、２）は、前記情報データのヘッダコードが、情報データに関する属性データを有し、表示装置ではその属性データを前記情報データとともに保存するようにしたものである。これにより、表示装置側において情報データを適正管理することができる。
【００２８】
また、本発明にかかるデータ転送システム（用途２）は、コンピュータからのフレーム先頭にヘッダコードを有する表示データを抽出し、画像ファイルに変換して記憶装置に保存する表示装置と、該表示装置に設けられた画面キャプチャ専用のフレームメモリとを備え、毎フレームごとに前記表示データの書き込みを行わせ、前記ヘッダコードを検出した次のフレームより前記表示データの書き込みを禁止し、前記フレームメモリの表示データを読み出して、画像ファイルとして前記記憶装置に保存させるようにしたものである。これにより、ヘッダコードの検出後にフレームメモリよりキャプチャ用の画像データを読み出して記憶装置保存するまでの間、表示データの読み出し、書き込み機能が働くことで、画面が凍結するのを防止できる。
【００２９】
また、本発明にかかるデータ転送システム（用途２）は、コンピュータから通信インタフェースを通して出力される、フレームの先頭にヘッダコードを有する表示データを抽出し、該表示データを画像ファイルに変換して記憶装置に保存する表示装置と、該表示装置に設けられた画面キャプチャ専用のフレームメモリとを備え、毎フレームごとに前記表示データの書き込みを行わせ、前記ヘッダコードを検出した次のフレームより前記表示データの書き込みを禁止し、前記フレームメモリの表示データを読み出して、画像ファイルとして前記記憶装置に保存させるようにしたものである。これにより、フレームメモリの先頭にヘッダコードを書く必要がなくなり、ソフト開発の際の負担を軽減でき、一方、表示装置側はヘッダ検出手段を省いて、コストダウンを図ることができる。
【００３０】
また、本発明にかかるデータ転送システム（用途２）は、コンピュータから出力される表示データを抽出し、画像ファイルに変換して記憶装置に保存する表示装置と、該表示装置に設けられて前記表示データを保存するための操作ボタンとを備え、毎フレームごとに前記表示データの書き込みを行わせ、前記操作ボタンの操作を検出した次のフレームより前記表示データの書き込みを禁止し、前記フレームメモリの表示データを読み出して画像ファイルとして前記記憶装置に保存させるようにしたものである。これにより、画面上のキャプチャボタンやヘッダコードを送付するコンピュータ側でのソフト処理が不要になり、つまり一切の専用ソフトが不要になり、ソフト開発の際の負担を軽減できるとともに、操作者にもコンピュータへの専用ソフトのインストールの手間、負担を省くことができる。
【発明の効果】
【００３１】
以上のように、本発明によれば、用途１において、コンピュータから表示装置へ表示信号入出力部を経由して直接情報デ−タ伝送することができるようにしたため、汎用通信インタフェースやメモリカードなどの記憶媒体の使用が不要であり、従って、どのような種類のコンピュータでも、なんら新たなハードを追加すること無しに、ソフトを組み込むことで、情報データの転送をローコストな構成にて実現できるほか、高速のデータ伝送が可能になる。
【００３２】
そして、表示装置は２枚のフレームメモリを持ち、情報データの転送中は、情報データ転送前のフレームの表示デ−タを格納した一方のフレームメモリより表示データを読み出すことにより、情報データが表示されることがない。また、コンピュータからは、情報データを連続したフレームで転送するのではなく、あるフレーム間隔を空け、その間は、表示データを転送し、一方、表示装置側では、１パケット分の情報データを記憶装置に保存後、各パケットの間にコンピュータより出力される表示データを表示することにより、パケットの数が多い大容量の情報データの転送中に表示を凍結させることなく、更新させることができる。
【００３３】
さらに、コンピュータが１パケットの情報データを準備する際に、ヘッダコード内にパケットデータ書き込み完了フラグを設け、１パケットの情報データの準備が完了した時点で、そのフラグをセットすることにより、表示装置側で、ヘッダコード内の前記パケットデータ書き込み完了フラグをチェックすることによって、１パケットの情報データが揃ったことを検出でき、未だ準備途中の欠落した情報データを保存するのを防止できる。さらに、情報データを１フレーム内で転送可能な容量に分割したパケット通信で転送することにより、無限容量のデータ転送が可能になるという効果が得られる。
【００３４】
また、本発明によれば、用途２において、表示装置側に、画面に表示するための表示データの書き込みと読み出しの機能ブロックとは独立した、キャプチャ用の表示データを格納するためのフレームメモリを追加することにより、ヘッダコードの検出後に、そのフレームメモリよりキャプチャ用の画像データを読み出して記憶装置へ保存するまでの間、表示データの表示は、前記フレームメモリとは別に、前記表示データの書き込み読みだし機能が働いているので、画面が凍結するなどの問題が発生しないという効果が得られる。また、動画の場合であっても、キャプチャ専用のフレームメモリは１フレーム分の書き込みしか行わないために、保存したデータがブレることがないという効果が得られる。
【００３５】
また、本発明によれば、用途２において、ＵＳＢなどの汎用Ｉ／Ｆを追加し、前記ヘッダコードを、この汎用Ｉ／Ｆ経由で送るようにしたことにより、コンピュータ側のフレームメモリの先頭にヘッダコードを書くソフト処理と、表示装置側のヘッダコード検出手段を削除できるとともに、コンピュータ側のフレームメモリの先頭にヘッダコードを書く必要が無くなり、ソフト開発の際の負担を軽減でき、また、コストダウンを実現できるという効果が得られる。
【００３６】
さらに、本発明によれば、用途２において、キャプチャの指示を、コンピュータ側からキャプチャボタンにより行うのではなく、表示装置側で行うことで、表示装置側に画面保存を指示する操作ボタンの操作検出により、画面の表示データが記憶装置に保存できる。また、画面上のキャプチャボタンは不要になり、コンピュータからのヘッダコードの転送も不要になり、ヘッダコードを送付するコンピュータ側でのソフト処理が不要となり、コンピュータ側は、一切の専用ソフトウェアが不要になり、ソフト開発の際の負担を軽減できるほか、操作者にとってもコンピュータへの専用ソフトのインストールの手間を省けるという利点が得られる。
【発明を実施するための最良の形態】
【００３７】
以下に、本発明の実施の一形態（実施の形態１）による情報データ転送機能を有す表示装置を図面を参照して説明する。なお、ここでは前記の用途１の使用方法を前提にしている。図１は、本発明の情報データ転送システムを示すブロック図であり、これがＰＣ２と表示装置１Ａより構成され、表示信号出力部１９と表示信号入力部３３との間がケーブルで接続されている。最初に、ＰＣ２側の構成と動作を、図２に示すＰＣ２の詳細なブロック図を用いて説明する。
ＰＣ２は、表示装置１Ａへ転送するための情報データが保存されるメモリまたはメモリカード等の記憶装置６３と、この記憶装置６３からの情報データを読み出し、フレームメモリ６２に書き込むＣＰＵ６０と、表示装置１Ａへ出力するための表示データを書き込むフレームメモリ６２と、フレームメモリ６２から表示データを毎フレームごとに読み出し、一般的なＲＧＢ信号として表示信号出力部１９へ出力するグラフィックコントローラ６１とにより構成される。
表示信号出力にはアナログＲＧＢ信号とデジタルＲＧＢ信号の２つの種別があるが、以降の説明では、デジタル信号を例にして説明する。なお、アナログＲＧＢ信号であっても、本発明は表示装置１Ａの表示信号入力部３３からのアナログＲＧＢ信号にＡ／Ｄコンバ−タをいれ、デジタル変換することで、適用可能である。
【００３８】
次に、このＰＣ２の動作について説明する。図３はＰＣ２が情報データを転送する際の動作の前段を示すフローである。これによれば、情報データを転送する際、タイマ割り込みを設定し（ステップＡ１）、そのタイマ割り込みの周期は表示フレーム周波数の整数倍に同期し、割り込みが入ると（ここではフレーム周波数の２０倍の周期、すなわち２０フレーム毎に１回のタイマ割り込みが入るものとして説明する）、ＣＰＵ６０はタイマ割り込み処理へ移行し、フレームメモリ６２の先頭に図４に示すようなフォーマットを有するヘッダコードを書き込み（ステップＢ１）、引き続き、メモリなどの記憶装置６３内に保存されている情報デ−タを読み出し、１フレーム内に転送できる容量にパケット化し、最初の１パケット分の情報データをフレームメモリ６２に書き込む（ステップＢ２）。
【００３９】
図４のヘッダコードのフォーマットは先頭を示すヘッダと、情報データの日付やタイトルの属性データおよび、表示装置１Ａが先頭パケットや最終パケットを認識できるようにするためのパケット番号と、ＰＣ２側で１フレーム内の１パケット分の情報データが欠落無く、準備が完了したことを示すパケットデータ書き込み完了フラグと、表示装置側１Ａで行うエラーチェックのためのＣＲＣコードから構成される。
１パケット分の情報データの書き込みが完了したフレームメモリ６２の内部のマップは、図５に示すように、フレームメモリ６２の先頭行にヘッダコードが、以降には、１パケット分の情報データが続く。
【００４０】
１パケット分の情報デ−タを書き終わると、図４に示すヘッダコード内のパケットデータ書き込み完了フラグをセットし（ステップＢ３）、次のフレームまで待ち、フレームメモリ６２を表示データに書き換える（ステップＢ４）。なお、前記表示データとは、表示装置１Ａの記憶装置２５に保存する情報データではなく、ＰＣ２が表示装置１Ａの画面に表示するためのデータを意味する。
このとき、フレームバッファの先頭に書いたヘッダコードは表示データに書き換えている最中は残し、書き換えの最後にヘッダコード部分を書き換える。これは、表示データに書き換えている最中には、情報データがまだ残っており、それを表示装置１Ａ側で表示すると、従来の方法の課題で説明した画面にゴミがでる課題が発生し、これを解決するために、ヘッダコードを残し、表示装置１Ａの構成と動作の説明で後述するように、表示装置１Ａ側のヘッダコードがあるフレームは表示をしないようにする構成を利用して、この課題を解決する。
【００４１】
以上、これまで説明したステップＢ１〜ステップＢ４までの動作を繰り返し、最終パケットであれば、メインルーチンに通知し（ステップＢ６）、メインルーチンは転送を終了して（ステップＡ２）、タイマ割り込みを禁止し（ステップＡ３）、情報データの転送の処理を終了する。
図２に示すグラフイックスコントローラ６１は、図５のフレームメモリ６２のアドレスマップに対し、ＴＶの走査線と同じ方向でこのフレームメモリ６２を読み出し、表示信号出力部１９に通常のＲＧＢ信号として出力する。
【００４２】
図６は、これまで説明した図３のフローに沿って表示信号出力部１９から出力される信号のタイミングチャートを示す。この図６のＢ１〜Ｂ３期間に情報データを転送し、Ｂ３で完了し、Ｂ４の最初で表示データに書き変わり始め、Ｂ４の終わりでヘッダコード含めて、全て表示データに書き変わる。また、次のパケットの情報データは２０フレーム後に転送される。また、図７に示すように、情報データは１フレームを１パケットとして転送され、図４に示すようにヘッダコード内にパケットの先頭あるいは終了を表すパケット番号が付加される。
【００４３】
以上、ＰＣ２側の構成と動作について説明したが、以上説明した動作は、全てソフトウェアにより実現可能であり、特殊なハード構成は必要としないため、どのＰＣでも、適用可能である。また、これまでの説明はハードとソフトの内部からの視点により行ったが、ユーザからの視点で以下説明する。
表示装置１Ａの記憶装置２５は、ＰＣ２のＯＳからは、従来の外部記憶装置で実現しているのと同じソフトウェアの手段により、新たな外部記憶装置として認識される（従来手法のため、ソフト内部の動作については省略する）。
従って、ユーザが情報データを転送する際は、従来のファイルコピーと同じ要領で行うことができる。一例として、ＰＣ２で、ファイル内容を閲覧するソフトを立ち上げ、転送元の情報データとなるファイルを選択し、転送先に表示装置１Ａの記憶装置２５を指定し、ファイルコピーを実行することで、ＰＣ２から表示装置１Ａへ情報データが転送される。
【００４４】
一方、前記表示装置１Ａは、図１に示すように、ＰＣ２の表示信号出力部１９からのＲＧＢ信号を受ける表示信号入力部３３と、表示装置１Ａ内のフレームメモリ２３、２４への書き込みおよび読み出しを制御するフレームメモリ書き込み／読み出し制御手段２０と、前記ＰＣ２からの信号にもとづき情報データのパケットデータ内のヘッダコードを検出するヘッダコード検出手段２１と、フレームメモリ２３、２４のバスの行き先を切り替えるフレームメモリ選択手段２２と、ＰＣ２からの情報データ転送時には、その情報データを格納したフレームメモリ２３または２４から情報データを読み出し、記憶装置２５に書き込むＣＰＵ１０と、フレームメモリ２３または２４より読み出した表示データをＬＣＤパネル６に適合したタイミングに変更するＬＣＤパネル表示信号作成手段５と、ＬＣＤパネル表示信号作成手段５からの表示信号を受け表示画面に表示する前記ＬＣＤパネル６とで構成される。なお、ＬＣＤパネル６に代えてＣＲＴ、ＬＣＤプロジェクタ等の他の表示デバイスも適用できる。
【００４５】
図８は、フレームメモリ書き込み／読み出し制御手段２０の詳細を示すブロックであり、ＰＣ２からのＲＧＢ信号をパラレル型式に変換するシフトレジスタ４０と、２入力２出力のマルチプレクサで、前記のシフトレジスタ４０からのパラレル型式に変換したＲＧＢ信号とＣＰＵ１０のデータバス２６に接続される２つの入力部、フレームメモリ２３、２４のデ−タバス３０、２８に接続される２つの出力部、および選択端子Ｓ２入力部を有すバス切替手段４４と、前記パラレル型式にしたＲＧＢ信号をフレームメモリ２３、２４にリアルタイムで書き込むためのフレームメモリ書き込みアドレスとリードライト信号を発生する書き込みフレームメモリアドレス発生手段４８と、フレームメモリ２３、２４からフレーム毎に表示信号を読み出すためのアドレスとリードライト信号を作成するフレームメモリ読み出しアドレス発生手段４２と、２入力２出力のマルチプレクサで、前記フレームメモリ読み出しアドレス発生手段４２とフレームメモリ書き込みアドレス発生手段４８とＣＰＵ１０のそれぞれが出力するアドレスとリードライト信号を入力とし、これらを選択入力部Ｓ１に入力される選択信号により、２つの出力部へ選択的に出力するバス切り替え手段４３と、フレームメモリ２３、２４からの読み出しデータを入力とし、ＣＰＵ１０のバスと、ＬＣＤパネル表示信号作成手段５に接続される２つの出力部を有する２入力２出力のマルチプレクサであるバス切り替え手段４６とから構成されている。
【００４６】
図９は、フレームメモリ選択手段２２とその入出力側の構成を示し、ヘッダコード検出手段２１からのヘッダコード検出通知出力を入力とし、バス切り替え手段４３，４４、４６のための選択スイッチＳＷａ，ＳＷｂ、ＳＷｃの信号を出力し、表示データを受ける際は、表示データが２つのフレームメモリ２３、２４に対し、読み出しと書き込みがフレ−ム毎に入れ替わるようＳＷａ〜ＳＷｃを制御し、情報データの受信により、ヘッダコード検出手段２１よりヘッダコードの通知を受けると、ＣＰＵ１０が情報データをフレームメモリより読み出し可能にして、さらに情報データを表示画面に表示しないようＳＷａ〜ＳＷｃを制御する。
【００４７】
次に、動作について説明する。最初に、ＰＣ２からの表示デ−タが表示装置１Ａの表示画面に表示されるまでの動作を図１、図８を用いて説明する。
ＰＣ２からの表示デ−タは、ＲＧＢ信号３としてフレームメモリ書き込み／読み出し制御手段２０に入り、シフトレジスタ４０によりパラレルデ−タに変換され、バス切り替え手段４４を経由してフレームメモリ２３またはフレームメモリ２４のデータバスの内、どちらか片方に入力される。ここで、説明の便宜上、最初にフレームメモリ２３に入力されるとものとして説明する。
一方、フレームメモリ書き込みアドレス発生手段４８より、バス切り替え手段４３を経由してフレームメモリ２３へ、前記のパラレル変換された表示データを書き込むためのアドレスと書き込みを指示するリードライト信号が与えられる。
これにより１フレーム分の前記表示データがフレームメモリ２３に書き込まれ、同時に、他方のフレームメモリ２４に対し、フレームメモリ読み出しアドレス発生手段４２より、バス切り替え手段４３を経由して、読み出しアドレスと読み出しを指示するリードライト信号が与えられる。このため、フレームメモリ２４は一つ前のフレームで書き込まれた表示データが読み出される。
図１０は、今まで説明したフレームメモリ２３、２４の動作を示すタイムチャートであり、フレームメモリ選択手段２２の制御に従って、フレームメモリ２３とフレーメモリ２４はフレーム毎に表示信号の読み出しと書き込みの役割が交互に入れ替えられる。すなわちＦＩＦＯ型式で動作する。
【００４８】
前記のフレームメモリ２４から読み出される１フレーム分の表示デ−タは、バス切り替え手段４６を経由して、ＬＣＤパネル表示信号作成手段５に入り、ＬＣＤパネル６の画面に表示される。なお、ＬＣＤパネル表示信号作成手段５とＬＣＤパネル６は、従来のＬＣＤモニタと同等の機能のため、説明は省略する。
【００４９】
次に、表示装置１において、ＰＣ２より情報デ−タ（表示データではない）が転送される場合の動作を、図１１のフロ−と図１２のタイムチャートに対応させて説明する。まず、ヘッダコード検出手段２１は、ＰＣ２からの情報データのヘッダコードを検出し（ステップＣ１）、フレームメモリ選択手段２２へ通知する（ステップＣ２）。
【００５０】
一方、図１２に示すように、フレームＮ＋１では、ＰＣ２より情報データが出力され始め、最初にヘッダコードを検出し（ステップＣ１）、このフレームＮ＋１ではフレームメモリ２３から前フレームで書き込んだ表示デ−タを、ＬＣＤパネル６側へ読み出し、フレームメモリ２４には、情報データが書き込まれる。ただし、このフレームＮ＋１の情報データは、ＰＣ２側で１パケット分の情報データを未だ準備できていないために、１パケットの先頭部分しか、含まず、以後のフレームＮ＋ｍで、完全に１パケット分の情報データが揃う。
【００５１】
前記のフレームメモリ選択手段２２は、出力ＳＷａ〜ＳＷｃにより、フレームＮ＋１の時点から、図１０のフレーム毎のフレームメモリ２３、２４の読み出しと書き込みの切り替え動作(ＦＩＦＯ動作)を止め、ＬＣＤパネル６側へ出力する表示データは、フレーメモリ２３から読み出すように機能を固定し、これにより前フレームの表示データを表示し続け（ステップＥ１）、一方、フレームメモリ２４は、情報データの書き込み専用に機能を固定する。（ステップＥ２）。
【００５２】
一方、ヘッダコード検出手段２１はヘッダコード内のパケット書き込み完了フラグをチェックし（ステップＣ３）、セットされていなければ、次のフレームまで待ち、一方セットを検出すると、フレームメモリ選択手段２２に通知し（ステップＣ４）、フレームメモリ選択手段２２は、バス切り替え手段４３とバス切り替え手段４４をＳＷａ〜ＳＷｃにより、フレームメモリ２４のアドレス、データバスおよびリードライト信号をＣＰＵ１０のそれぞれに接続するよう制御し、次にＣＰＵ１０へ通知する（ステップＥ４）。
【００５３】
ＣＰＵ１０はフレームメモリ２４に書き込まれたヘッダコードと情報データを読み出し、また、ヘッダコード内の図４に示す日付、タイトル情報等の属性情報を抽出し、記憶装置２５へ情報データと共に書き込む（ステップＤ１）。一方、図１２では、フレームＮ＋ｍ＋１で、ＣＰＵ１０が、フレームメモリ２４の内容を読み出し、記憶装置２５へ書き込み、フレームＮ＋Ｋで書き込みを完了する。
【００５４】
ＣＰＵ１０が書き込み完了後、ヘッダコード検出手段２１に完了を通知し（ステップＤ２）、ヘッダコード検出手段２１は、フレームメモリ選択手段２２に通知し（ステップＣ６）、フレームメモリ選択手段２２は、フレームメモリ２４をＣＰＵから切り離し、ＰＣ２からの表示信号を書き込むように接続し（ステップＥ６）、ヘッダコード検出手段２１からの指示を待つ（ステップＥ７）。前記フレームメモリ選択手段２２の動作により、ＰＣ２からの表示信号は、フレームメモリ２４に毎フレーム書き込まれる（ステップＥ８）。
【００５５】
また、フレームメモリ２３は図１２のフレームＮ＋１からこれまで説明した時点のステップＥ８の時点に相当するフレームＮ＋ｋ＋１までの間、フレームＮで保存した表示データを、毎フレーム読み出し、ＬＣＤパネル６へ表示データとして出力する。
一方、並行してヘッダコード検出手段２１は、ＲＧＢ信号内のヘッダコードを検出し、ヘッダコードが無ければ表示データであるとみなし、フレームメモリ選択手段２２に通知し、次のフレーム（図１２のフレームＮ＋ｋ＋２）よりフレームメモリ２４を読み出しに、フレームメモリ２３は書き込みにと、最初の表示データを表示していたサイクルの図１０のＦＩＦＯ動作に戻り、表示画面が更新されることになる（図１３のステップＥ８）。また、この後、いくつかのフレームを経過し、２番目の情報データのパケットを受信し、以後、同様の動作を繰り返す。
【００５６】
従って、前記構成によれば表示信号入出力部を経由して情報デ−タ伝送するため、汎用通信インタフェースや記憶媒体の使用が不要であり、従って、どのような種類のＰＣでも、なんら新たなハードを追加すること無しに、ソフトを組み込むことで、情報データの転送を実現できる。
【００５７】
また、高速のデータ伝送が可能であり、例えば、一般的なＰＣの表示解像度は１０２４×７６８ドット、色情報が２４ドット、７５フレーム／秒であり、その場合、１フレームで伝送できる容量は、１０２４×７６８×２４＝約１９Ｍビット（２．４Ｍバイト）が可能である。
【００５８】
そして、前記のように２枚のフレームメモリ２３、２４を持ち、情報データの転送中は、情報データ転送前のフレームの表示デ−タを格納した例えばフレームメモリ２３より、表示データを読み出すことにより、情報データが表示されることはない。ＰＣ２からは情報データを連続したフレームで転送するのではなく、あるフレーム間隔（例えば２０フレームの間隔）を空け、かつその間は、表示データを転送し、一方、表示装置１Ａ側では、１パケット分の情報データを記憶装置に保存後、各パケットの間にＰＣより出力される表示データを表示することにより、パケットの数が多い大容量の情報データの転送中に表示が凍結することなく、更新される効果を有する。
【００５９】
また、ＰＣ２が１パケットの情報データを準備する際に、ヘッダコード内にパケットデータ書き込み完了フラグを設け、１パケットの情報データの準備が完了した時点で、そのフラグをセットすることにより、表示装置１Ａ側で、ヘッダコード内の前記フラグをチェックすることにより、１パケットの情報データが揃ったことを検出でき、未だ準備途中の欠落した情報データを保存することはない。
さらに、情報データを１フレーム内で転送可能な容量に分割したパケット通信で転送することにより、無限の容量の転送が可能になる。
【００６０】
次に、本発明の実施の他の形態（実施の形態２）による情報データ転送システムについて説明する。この実施の形態２は、前記で説明した用途２の使用方法を前提としており、ＰＣ２から出力された表示装置１の画面上の表示を、画像ファイルとして生成し、表示装置１Ａの記憶装置２５へ保存する画面キャプチャ機能として使用している。この実施の形態２において、図１３はＰＣ２の表示信号出力部１９からのＲＧＢ信号のタイムチャートを示し、このＲＧＢ信号のヘッダコードは表示装置１Ａに対し表示信号の保存を指示するもので、これは、前記の利用シーンで説明したようにＰＣ２の操作者がマウスなどで、画面のキャプチャボタン４１を指示したとき、ＰＣ２がそれに応答して、このヘッダコードを出力する。これが前記実施の形態１と相違するところは、ヘッダコードに続く情報デ−タは存在せず、通常の表示データが続くことである。すなわち、ＰＣ２側は、表示データを書き込んだフレームメモリのフレームの先頭にヘッダコードのみを書き込むことで、この信号を出力する。
【００６１】
また、２番目の相違は、図１３に示すように、ヘッダコードは１フレーム分しか出力しないことであり、これはキャプチャする画像データは１フレーム分の容量であるため、実施の形態１のようなパケットデータの構成をとらないことと、ＰＣ２は、数バイト程度のヘッダコードのみを書けばよく、十分、１フレーム内に間に合い、実施の形態１のように、１パケット分の情報データの書き込みに、１フレーム以上かかるような動作が発生しないためである。３番目の相違は、ヘッダコードのフォ−マットにおいて、上記の理由により、パケット番号とパケットデータ書き込み完了フラグは持たないことである。
【００６２】
さらに、４番目の相違は、図１４に示すようなフレームメモリ書き込み／読み出し制御手段２０の中で、図２に示したようなバス切り替え手段４６が無く、常に、ＬＣＤパネル６に与えられる表示データはフレームメモリ２３より読み出されることである。なお、実施の形態１で使用した図１は、実施の形態２でも利用でき、図８は図１４に置き換えるものとして説明する。５番目の相違は、ＰＣ２がヘッダコードではなく、通常の表示データを出力している期間は、フレームメモリ２３は、表示データの書き込みと、ＬＣＤパネル６への表示用データの読み出しを時分割で行うフレームバッファとして働き、一方、フレームメモリ２４は表示データの書き込みを、フレーメモリ２３と同様に行うが、ＬＣＤパネル６への読み出しは行わず、表示データの書き込みのみ行う。
【００６３】
次に、動作について、図１５に示す動作フロー図と図１６に示すタイムチャートについて説明する。図１６のフレームＮ−２〜Ｎ−１は通常の表示をしている期間で、フレームＮで、ＰＣ２よりヘッダコードが出力され、ヘッダコード検出手段２１はこのヘッダコードを検出し（ステップＣ８）、フレームメモリ選択手段２２に通知し（ステップＣ９）、フレームメモリ選択手段２２は、次のフレームＮ＋１の先頭で、フレームメモリ２４に対して表示デ−タの書き込みを禁止し（ステップＥ９）、フレームメモリ２４のアドレスバスとデータバスとリードライト信号をＣＰＵ１０に接続する（ステップＥ１０）。ＣＰＵ１０は、フレームメモリ２４より、ヘッダコードと表示デ−タを読み出し、記憶装置２５に保存を開始し（ステップＤ３）、図１６のフレームＮ＋ｍで完了し（ステップＤ４）、フレームメモリ２４をＣＰＵ１０から切り離し、表示信号の書き込み用に戻し（ステップＥ１２）、以後、Ｎ＋ｍ＋１からは、通常の表示動作に戻る。
【００６４】
一方、フレームメモリ２３の動作は、常に、変化せず、前述したように表示データの書き込み／読み出しを時分割で行い、この動作をフレーム毎に繰り返すため、表示画面には、正常に表示され、問題は発生しない。なお、ヘッダコードが転送されたフレームＮでは、表示装置１Ａの画面に、ヘッダコードが表示されてしまうが、１フレーム期間のみの表示であることと、画面の先頭ラインにしか表示されないことと、表示画面１Ａ上では輝度が低く目だたない色になるようにヘッダコードのデータを変換する等の工夫により、実用上の問題はない。また、ＣＰＵ１０が記憶装置２５に保存をした画像データを、読み出して表示する動作は実施の形態１と同じであるので説明は省略する。
【００６５】
次に、ユーザの視点からの説明を行う。なお、これから説明するグラフィックユーザインタフェースは、ソフトウェアによる従来の方法で実現しているものであり、ソフト内部の説明は省略する。
図１７において、表示装置１ＡがＰＣ２からの表示データを表示画面に表示している際、表示画面上の情報を保存したい場合、画面右下のキャプチャ４１のボタンをマウスでクリックすることにより、それをＣＰＵ１０が検出し、前述した説明通りヘッダーコードを表示装置１Ａへ転送し、表示装置１Ａ側で、表示画面の保存が実行される。
【００６６】
表示装置１Ａ側に、画面に表示するための表示データの書き込みと読み出しの機能ブロックとは独立した、キャプチャのための表示データを格納するためのフレームメモリ２４を追加することにより、ヘッダコードの検出後に、ＣＰＵ１０がフレームメモリ２４よりキャプチャ用の画像データを読み出して記憶装置２５へ保存するまでの間、表示データの表示は、フレームメモリ２４とは別に、前述した表示データの書き込み読みだし機能ブロックが働いているので、画面が凍結するなどの問題は発生しない。
また、動画の場合であっても、キャプチャ専用のフレームメモリは１フレーム分の書き込みしか行わないために、保存したデータがブレることはない。
【００６７】
次に、本発明の実施の他の形態（実施の形態３）について説明する。実施の形態３は実施の形態２の変形であり、実施の形態２との１番目の相違は、ＵＳＢなどの汎用Ｉ／Ｆを追加することと、２番目の相違はヘッダコードを、表示信号出力からではなく、前記の汎用Ｉ／Ｆ経由で送るようにしたものである。これにより、実施の形態２のＰＣ２側のフレームメモリ６２の先頭にヘッダコードを書くソフト処理と、表示装置側のヘッダコード検出手段を削除できる。
実施の形態２と比べて、ＰＣ２側のフレームメモリの先頭にヘッダコードを書く必要が無くなり、ソフト開発の際の負担を軽減でき、また、表示装置１Ａ側はヘッダコード検出手段２１が削除でき、コストダウンを実現できる。
【００６８】
さらに、本発明の実施の別の形態（実施の形態４）について説明する。この実施の形態４は実施の形態２の変形であり、実施の形態２との１番目の相違は、画面の保存（キャプチャ）の指示を、ＰＣ２側から画面上のキャプチャボタンにより行うのではなく、表示装置１Ａ側で行うことであり、表示装置１Ａ側に画面保存を指示する操作ボタン等を配置し、ＣＰＵ１０がヘッダコードのかわりに、このボタン操作の検出により、画面の表示データが記憶装置に保存される。２番目の相違は、上記により、図１０の画面上のキャプチャボタンは不要になり、またＰＣからのヘッダコードの転送も不要になる。
【００６９】
従って、実施の形態２および３と比べて、画面上のキャプチャを指示する操作ボタンや、ヘッダコードを送付するＰＣ側でのソフト処理が不要となり、ＰＣ２側は、一切の専用ソフトフェアは不要になり、ソフト開発の際の負担を軽減し、また、操作者にもＰＣ２への専用ソフトのインストールの手間を省ける効果を有する。
【図面の簡単な説明】
【００７０】
【図１】本発明の実施の一形態によるデータ転送システムを示すブロック図である。
【図２】図１におけるコンピュータの詳細を示すブロック図である。
【図３】図１におけるコンピュータからの情報データを転送手順を示すフローチャートである。
【図４】本発明の実施の一形態におけるヘッダコードのフォーマットである。
【図５】図１におけるコンピュータが持つフレームメモリ内部を示すアドレスマップである。
【図６】図１におけるコンピュータが出力する表示信号を示すタイムチャートである。
【図７】本発明における情報データのパケット転送を説明するタイムチャートである。
【図８】図１におけるフレームメモリ書き込み／読み出し制御手段の詳細を示すブロック図である。
【図９】図１におけるフレームメモリ選択手段の周辺を示すブロック図である。
【図１０】図１における表示装置での表示装置の表示データ受信時のフレームメモリの状態を示す説明図である。
【図１１】図１における表示装置側の情報データ受信時の動作手順を示すフローチャートである。
【図１２】図１における表示装置での情報データ受信時のフレームメモリのタイムチャートである。
【図１３】本発明の実施の他の形態におけるＲＧＢ信号を示すタイムチャートである。
【図１４】本発明の実施の他の形態におけるフレームメモリ書き込み／読み出し制御手段を示すブロック図である。
【図１５】本発明の実施の他の形態による表示装置の動作手順を示すフローチャートである。
【図１６】本発明の実施の他の形態による表示装置側のフレームメモリのデータとＲＧＢ信号を示すタイムチャートである。
【図１７】本発明の実施の他の形態によるデータ転送システムをユーザの視点により示す説明図である。
【図１８】従来のデータ転送システムをユーザの視点により示す説明図である。
【図１９】従来の他のデータ転送システムをユーザの視点により示す説明図である。
【図２０】従来のデータ転送システムを示すブロック図である。
【図２１】従来の他のデータ転送システムを示すブロック図である。
【図２２】図２１におけるコンピュータの詳細を示すブロック図である。
【図２３】図２２におけるコンピュータの表示出力信号を示す説明図である。
【図２４】図２１におけるフレームメモリの状態を示すタイムチャートである。
【符号の説明】
【００７１】
１Ａ  表示装置  ２  ＰＣ（コンピュータ）  ２１  ヘッダコード検出手段  ２３、２４  フレームメモリ  ２５  記憶装置
【図１】
2006201798.tif 000003
【図２】
2006201798.tif 000004
【図３】
2006201798.tif 000005
【図４】
2006201798.tif 000006
【図５】
2006201798.tif 000007
【図６】
2006201798.tif 000008
【図７】
2006201798.tif 000009
【図８】
2006201798.tif 000010
【図９】
2006201798.tif 000011
【図１０】
2006201798.tif 000012
【図１１】
2006201798.tif 000013
【図１２】
2006201798.tif 000014
【図１３】
2006201798.tif 000015
【図１４】
2006201798.tif 000016
【図１５】
2006201798.tif 000017
【図１６】
2006201798.tif 000018
【図１７】
2006201798.tif 000019
【図１８】
2006201798.tif 000020
【図１９】
2006201798.tif 000021
【図２０】
2006201798.tif 000022
【図２１】
2006201798.tif 000023
【図２２】
2006201798.tif 000024
【図２３】
2006201798.tif 000025
【図２４】
2006201798.tif 000026